(57)【要約】【課題】  所定の場所に設置された処理装置と近距離通信を行った携帯通信装置に対してのみ、所定のサーバからコンテンツデータを受け取ることができるようにするサービス提供方法を提供する。【解決手段】  携帯電話１２を所定の場所に設置されたＲ／Ｗ装置１６に近づけ、近距離通信により、暗号化された「乱数、識別情報ＣＰＩＤ、識別情報ＲＷＩＤ」が携帯電話１２に設定される。携帯電話１２は、これらのパラメータをＣＰ運営サーバ２４に送信する。その後、携帯電話１２に対して、デジタルコンテンツデータをダウンロードさせるか否かが、上記パラメータと携帯電話１２のＩＤとを基にＡＳＰサーバ２６で判断される。【選択図】  図１
2010011058.tif 000002
【特許請求の範囲】
【請求項１】
近接通信機能を有する携帯通信装置を用いたサービス提供方法であって、
前記携帯通信装置が、所定の場所に設置された処理装置と近距離通信を行って、前記処理装置の識別情報、コンテンツ関連識別情報および乱数を暗号化したパラメータと、ネットワーク上のアドレスとを設定する第１の工程と、
前記携帯通信装置が、前記第１の工程で設定された前記アドレスのサーバにアクセスを行い、前記パラメータと当該携帯通信装置の機器識別情報とを前記サーバに送信する第２の工程と、
前記サーバが、前記第２の工程で受信した前記パラメータに含まれる前記処理装置の識別情報が予め保持する識別情報リスト内に存在すると判断し、且つ、コンテンツ関連識別情報、前記乱数および前記機器識別情報を基に、他の前記機器識別情報の携帯通信装置によって同じコンテンツ関連識別情報および乱数を用いて既にコンテンツデータがダウンロードされていないと判断した場合に、前記携帯通信装置による前記コンテンツデータのダウンロードを許可する第３の工程と
を有するサービス提供方法。
【請求項２】
前記サーバは、前記第２の工程において、前記携帯通信装置からアクセスを受けると、前記コンテンツデータのダウンロードへのリンクを含み、前記パラメータをリンクパラメータとして用いたウェブページを前記携帯電話装置に送信する
請求項１に記載のサービス提供方法。
【請求項３】
前記第３の工程でのダウンロード許可に応じて前記近接通信手段に前記コンテンツデータをダウンロードさせた後に、前記第３の工程で判断に用いた前記コンテンツ関連識別情報、乱数および機器識別情報を対応付けてログとして記憶し、
前記第３の工程において、前記ログを参照して前記判断を行う
請求項１または請求項２に記載のサービス提供方法。
【請求項４】
携帯通信装置が、所定の場所に設置された処理装置と近距離通信を行って取得した前記処理装置の識別情報、コンテンツ関連識別情報および乱数を暗号化したパラメータと、前記携帯通信装置の機器識別情報とを、前記処理装置から受信する受信手段と、
コンテンツのダウンロードを許可した際に前記処理装置の識別情報、前記コンテンツ関連識別情報、前記乱数および前記機器識別情報のリストを示すログと、予め登録された前記処理装置の識別情報のリストとを記憶する記憶手段と、
前記受信手段が受信した前記パラメータに含まれる前記処理装置の識別情報が前記記憶手段に記憶された前記処理装置の識別情報のリスト内に存在するかを判断する第１の判断処理と、前記パラメータに含まれる前記コンテンツ関連識別情報および前記乱数と前記受信手段が受信した前記機器識別情報とを基に、前記ログを参照して、他の前記機器識別情報の携帯通信装置によって同じコンテンツ関連識別情報および乱数を用いて既にコンテンツデータがダウンロードされていないか否かを判断する第２の判断処理とを行う判断手段と、
前記判断手段が行った前記第１の判断処理および前記第２の判断処理で肯定的な判断結果が得られた場合に、前記携帯通信装置による前記コンテンツデータのダウンロードを許可する許可手段と
を有するサーバ。
【請求項５】
所定の場所に設置された処理装置と近距離通信を行って、前記処理装置の識別情報、コンテンツ関連識別情報および乱数を暗号化したパラメータと、ネットワーク上のアドレスと受信する近距離通信手段と、
ネットワーク通信手段と、
前記ネットワーク通信手段の通信機能を用いて、前記設定された前記アドレスのサーバにアクセスを行い、前記パラメータと当該携帯通信装置の機器識別情報とを送信し、前記サーバからダウンロード許可を受けると、前記サーバからデジタルコンテンツデータをダウンロードする制御手段と
を有する携帯通信装置。
【請求項６】
近接通信機能を有する携帯通信装置を用いたサービス提供方法であって、
前記携帯通信装置が、所定の場所に設置された処理装置と近距離通信を行って、前記処理装置の識別情報、コンテンツ関連識別情報、乱数を暗号化したパラメータと、ネットワーク上のアドレスとを設定する第１の工程と、
前記携帯通信装置が、前記第１の工程で設定された前記アドレスのサーバにアクセスを行い、前記パラメータをアプリケーションプログラムに設定する第２の工程と、
前記アプリケーションプログラムを起動し、前記携帯通信装置が撮像対象を撮像して得た撮像画像と、前記パラメータと、前記携帯通信装置の識別情報とを前記携帯通信装置から前記サーバに送信する第３の工程と、
前記サーバが、前記第３の工程で受信した前記パラメータに含まれる前記処理装置の識別情報が予め保持する識別情報リスト内に存在すると判断し、且つ、コンテンツ関連識別情報、前記乱数および前記機器識別情報を基に、他の前記機器識別情報の携帯通信装置によって同じコンテンツ関連識別情報および乱数を用いて前記撮像画像に対応付けられたコンテンツデータが既にダウンロードされていないと判断した場合に、前記携帯通信装置による前記撮像画像に対応した前記コンテンツデータのダウンロードを許可する第４の工程と
を有するサービス提供方法。
【請求項７】
前記携帯通信装置が、所定の場所に設置されたアプリケーションダウンロード装置と近距離通信を行ってネットワーク上のアドレスを取得し、当該アドレスを基にサーバにアクセスして前記アプリケーションプログラムをダウンロード、あるいは前記近距離通信により前記アプリケーションダウンロード装置から前記アプリケーションプログラムをダウンロードする第５の工程
をさらに有し、
前記第２の工程および前記第３の工程において、前記第５の工程でダウンロードした前記アプリケーションプログラムを利用する
請求項６に記載のサービス提供方法。
【請求項８】
前記携帯通信装置が、所定の場所に設置された処理装置と近距離通信を行って取得した前記処理装置の識別情報、コンテンツ関連識別情報および乱数を暗号化したパラメータと、前記携帯通信装置の機器識別情報と、前記携帯通信装置が撮像した撮像画像とを前記携帯通信装置から受信する受信手段と、
撮像画像の種類の各々についてコンテンツデータのダウンロードを許可したときに用いた前記処理装置の識別情報、前記コンテンツ関連識別情報、前記乱数および前記機器識別情報のリストを示すログと、予め登録された前記処理装置の識別情報のリストとを記憶する記憶手段と、
前記携帯通信装置からのアクセスに応じて、前記携帯通信装置のアプリケーションプログラムを起動し、当該アプリケーションプログラムに前記パラメータを設定するアプリケーション起動手段と、
前記受信手段が受信した前記パラメータに含まれる前記処理装置の識別情報が前記記憶手段に記憶された前記処理装置の識別情報のリスト内に存在するかを判断する第１の判断処理と、前記パラメータに含まれる前記コンテンツ関連識別情報および前記乱数と前記受信手段が受信した前記機器識別情報とを基に、前記ログを参照して、他の前記機器識別情報の携帯通信装置によって同じコンテンツ関連識別情報および乱数を用いて前記撮像画像に対応付けられたコンテンツデータが既にダウンロードされていないか否かを判断する第２の判断処理とを行う判断手段と、
前記判断手段が行った前記第１の判断処理および前記第２の判断処理で肯定的な判断結果が得られた場合に、前記携帯通信装置による前記撮像画像に対応したコンテンツデータのダウンロードを許可する許可手段と
を有するサーバ。
【請求項９】
所定の場所に設置された処理装置と近距離通信を行って、前記処理装置の識別情報、コンテンツ関連識別情報および乱数を暗号化したパラメータと、ネットワーク上のアドレスと受信する近距離通信手段と、
撮像手段と、
ネットワーク通信手段と、
前記ネットワーク通信手段の通信機能を用いて、前記設定された前記アドレスのサーバにアクセスを行ってアプリケーションプログラムに前記パラメータを設定し、前記アプリケーションプログラムを起動し、前記撮像手段で撮像して得た撮像画像と、前記パラメータと、当該携帯通信装置の識別情報とを前記サーバに送信し、前記サーバからダウンロード許可を受けると、前記サーバから前記撮像画像に対応したデジタルコンテンツデータをダウンロードする制御手段と
を有する携帯通信装置。
【請求項１０】
近接通信手段を有する携帯通信装置を用いたサービス提供方法であって、
前記携帯通信装置が、所定の場所に設置された処理装置と近距離通信を行って、前記処理装置の識別情報、コンテンツ関連識別情報、乱数および前記携帯通信装置に内蔵されたＩＣチップの識別情報を暗号化したパラメータと、ネットワーク上のアドレスとを設定する第１の工程と、
前記携帯通信装置が、前記第１の工程で設定された前記アドレスのサーバにアクセスを行い、前記パラメータと当該携帯通信装置の機器識別情報とを前記サーバに送信する第２の工程と、
前記サーバが、前記携帯通信装置からの権利購入要求を受けて権利購入処理を行い、前記権利購入要求に応じて権利を販売することを決定した場合に、前記携帯通信装置の前記ＩＣチップの識別情報を登録する第３の工程と、
前記携帯通信装置から権利データダウンロード要求を受けると、当該携帯通信装置から受けた前記ＩＣチップの識別情報が登録されているか否かを判断する第１の判断処理と、前記第２の工程で受信した前記パラメータに含まれる前記処理装置の識別情報が予め保持する識別情報リスト内に存在するか否かを判断する第２の判断処理と、前記コンテンツ関連識別情報、前記乱数および前記機器識別情報を基に、他の前記機器識別情報の携帯通信装置によって同じコンテンツ関連識別情報および乱数を用いて既に権利データがダウンロードされていないかを判断する第３の判断処理とを行う第４の工程と、
前記第４の工程で行った前記第１の判断処理、前記第２の判断処理および前記第３の判断処理の全てで肯定的な判断が得られた場合に、前記携帯通信装置による前記権利データのダウンロードを許可する第５の工程と
を有するサービス提供方法。
【請求項１１】
前記第５の工程で前記権利データをダウンロードした前記携帯通信装置が、前記権利データを利用する場所に設置された所定の処理装置と近距離通信を行い、当該携帯通信装置に記憶された前記権利データを消去する第６の工程
をさらに有する請求項１０に記載のサービス提供方法。
【請求項１２】
携帯通信装置が所定の場所に設置された処理装置と近距離通信を行って取得した前記処理装置の識別情報、コンテンツ関連識別情報、乱数および前記携帯通信装置に内蔵されたＩＣチップの識別情報を暗号化したパラメータと、前記携帯通信装置の機器識別情報とを、前記携帯通信装置から受信する受信手段と、
コンテンツのダウンロードを許可したときに用いた前記処理装置の識別情報、前記コンテンツ関連識別情報、前記乱数および前記機器識別情報のリストを示すログと、予め登録された前記処理装置の識別情報のリストとを記憶する記憶手段と、
前記携帯通信装置からの権利購入要求を受けて権利購入処理を行い、前記権利購入要求に応じて権利を販売することを決定した場合に、前記携帯通信装置の前記ＩＣチップの識別情報を前記記憶手段に登録する権利処理手段と、
前記携帯通信装置から権利データダウンロード要求を受けると、当該携帯通信装置から受けた前記ＩＣチップの識別情報が前記登録されているか否かを判断する第１の判断処理と、前記受信手段が受信した前記パラメータに含まれる前記処理装置の識別情報が前記記憶手段に記憶された識別情報リスト内に存在するか否かを判断する第２の判断処理と、前記コンテンツ関連識別情報、前記乱数および前記機器識別情報を基に、他の前記機器識別情報の携帯通信装置によって同じコンテンツ関連識別情報および乱数を用いて既に権利データがダウンロードされていないかを判断する第３の判断処理とを行う判断手段と、
前記判断手段による前記第１の判断処理、前記第２の判断処理および前記第３の判断処理の全てで肯定的な判断が得られた場合に、前記携帯通信装置による前記権利データのダウンロードを許可する許可手段と
を有するサーバ。
【請求項１３】
近距離通信機能を備え、所定の場所に設置された処理装置と近距離通信を行って、前記処理装置の識別情報、コンテンツ関連識別情報、乱数および当該ＩＣチップの識別情報を暗号化したパラメータと、ネットワーク上のアドレスと受信するＩＣチップと、
ネットワーク通信手段と、
前記ネットワーク通信手段の通信機能を用いて、前記アドレスのサーバにアクセスを行い、前記パラメータと当該携帯通信装置の識別情報とを前記サーバに送信し、権利購入時に前記サーバに前記ＩＣチップの識別情報を提供し、権利データダウンロード要求を前記サーバに送信し、前記サーバからダウンロード許可を受けると前記サーバから前記権利データをダウンロードする制御手段と
を有する携帯通信装置。
【発明の詳細な説明】
【技術分野】
【０００１】
本発明は、コンテンツを提供するサービスを行うサービス提供方法、サーバおよび携帯通信装置に関するものである。
【背景技術】
【０００２】
店舗等は、来店時にポイントを発行するなど、顧客を来店させるために様々な工夫をしている。
ところで、来店した顧客に、特別なコンテンツデータを提供し、来店を促進させることが考えている。
このようなコンテンツデータの提供の仕方として、来店した顧客の携帯電話等に、コンテンツデータをダウンロードするためのネットワーク上のアドレスを通知する方法がある。
【発明の開示】
【発明が解決しようとする課題】
【０００３】
しかしながら、上述した従来の手法では、コンテンツデータをダウンロードするためのネットワーク上のアドレスが、来店していない他人に知られてしまうと、来店を促進することができなくなるという問題がある。
【０００４】
本発明はかかる事情に鑑みてなされたものであり、その目的は、所定の場所に設置された処理装置と近距離通信を行った携帯通信装置に対してのみ、所定のサーバからコンテンツデータを受け取ることができるようにするサービス提供方法、サーバおよび携帯通信装置を提供することにある。
【課題を解決するための手段】
【０００５】
上述した従来技術の問題を解決し、上述した目的を達成するために、第１の観点の発明のサービス提供方法は、近接通信機能を有する携帯通信装置を用いたサービス提供方法であって、前記携帯通信装置が、所定の場所に設置された処理装置と近距離通信を行って、前記処理装置の識別情報、コンテンツ関連識別情報および乱数を暗号化したパラメータと、ネットワーク上のアドレスとを設定する第１の工程と、前記携帯通信装置が、前記第１の工程で設定された前記アドレスのサーバにアクセスを行い、前記パラメータと当該携帯通信装置の機器識別情報とを前記サーバに送信する第２の工程と、前記サーバが、前記第２の工程で受信した前記パラメータに含まれる前記処理装置の識別情報が予め保持する識別情報リスト内に存在すると判断し、且つ、コンテンツ関連識別情報、前記乱数および前記機器識別情報を基に、他の前記機器識別情報の携帯通信装置によって同じコンテンツ関連識別情報および乱数を用いて既にコンテンツデータがダウンロードされていないと判断した場合に、前記携帯通信装置による前記コンテンツデータのダウンロードを許可する第３の工程とを有する。
【０００６】
第１の観点の発明のサービス提供方法では、携帯通信装置のユーザは処理装置が設置された場所に出向いて前記処理装置の識別情報、コンテンツ関連識別情報および乱数を暗号化したパラメータと、ネットワーク上のアドレスを受信することで、サーバからデジタルコンテンツデータをダウンロードできる。これにより、ユーザが処理装置の設置場所に出向く動機付けを与えることができる。
【０００７】
また、第１の観点の発明のサービス提供方法では、乱数を用いたことで、携帯通信装置のユーザが適切に取得したパラメータが不正に他人に利用されてデジタルコンテンツデータがダウンロードされた場合に、所定の条件の基、新たな乱数を取得して、そのデジタルコンテンツデータのダウンロードを行うことができる。
【０００８】
また、第１の観点の発明のサービス提供方法では、パラメータとして処理装置の識別情報を用い、かつパラメータを暗号化することで、所定の処理装置以外の他の処理装置を用いて適切なパラメータを生成することが困難である。
【０００９】
第２の観点の発明のサーバは、携帯通信装置が、所定の場所に設置された処理装置と近距離通信を行って取得した前記処理装置の識別情報、コンテンツ関連識別情報および乱数を暗号化したパラメータと、前記携帯通信装置の機器識別情報とを、前記処理装置から受信する受信手段と、コンテンツのダウンロードを許可した際に前記処理装置の識別情報、前記コンテンツ関連識別情報、前記乱数および前記機器識別情報のリストを示すログと、予め登録された前記処理装置の識別情報のリストとを記憶する記憶手段と、前記受信手段が受信した前記パラメータに含まれる前記処理装置の識別情報が前記記憶手段に記憶された前記処理装置の識別情報のリスト内に存在するかを判断する第１の判断処理と、前記パラメータに含まれる前記コンテンツ関連識別情報および前記乱数と前記受信手段が受信した前記機器識別情報とを基に、前記ログを参照して、他の前記機器識別情報の携帯通信装置によって同じコンテンツ関連識別情報および乱数を用いて既にコンテンツデータがダウンロードされていないか否かを判断する第２の判断処理とを行う判断手段と、前記判断手段が行った前記第１の判断処理および前記第２の判断処理で肯定的な判断結果が得られた場合に、前記携帯通信装置による前記コンテンツデータのダウンロードを許可する許可手段とを有する。
【００１０】
第３の観点の発明の携帯通信装置は、所定の場所に設置された処理装置と近距離通信を行って、前記処理装置の識別情報、コンテンツ関連識別情報および乱数を暗号化したパラメータと、ネットワーク上のアドレスと受信する近距離通信手段と、ネットワーク通信手段と、前記ネットワーク通信手段の通信機能を用いて、前記設定された前記アドレスのサーバにアクセスを行い、前記パラメータと当該携帯通信装置の機器識別情報とを送信し、前記サーバからダウンロード許可を受けると、前記サーバからデジタルコンテンツデータをダウンロードする制御手段とを有する。
【００１１】
第４の観点の発明のサービス提供方法は、近接通信機能を有する携帯通信装置を用いたサービス提供方法であって、前記携帯通信装置が、所定の場所に設置された処理装置と近距離通信を行って、前記処理装置の識別情報、コンテンツ関連識別情報、乱数を暗号化したパラメータと、ネットワーク上のアドレスとを設定する第１の工程と、前記携帯通信装置が、前記第１の工程で設定された前記アドレスのサーバにアクセスを行い、前記パラメータをアプリケーションプログラムに設定する第２の工程と、前記アプリケーションプログラムを起動し、前記携帯通信装置が撮像対象を撮像して得た撮像画像と、前記パラメータと、前記携帯通信装置の識別情報とを前記携帯通信装置から前記サーバに送信する第３の工程と、前記サーバが、前記第３の工程で受信した前記パラメータに含まれる前記処理装置の識別情報が予め保持する識別情報リスト内に存在すると判断し、且つ、コンテンツ関連識別情報、前記乱数および前記機器識別情報を基に、他の前記機器識別情報の携帯通信装置によって同じコンテンツ関連識別情報および乱数を用いて前記撮像画像に対応付けられたコンテンツデータが既にダウンロードされていないと判断した場合に、前記携帯通信装置による前記撮像画像に対応した前記コンテンツデータのダウンロードを許可する第４の工程とを有する。
【００１２】
第５の観点の発明のサーバは、前記携帯通信装置が、所定の場所に設置された処理装置と近距離通信を行って取得した前記処理装置の識別情報、コンテンツ関連識別情報および乱数を暗号化したパラメータと、前記携帯通信装置の機器識別情報と、前記携帯通信装置が撮像した撮像画像とを前記携帯通信装置から受信する受信手段と、撮像画像の種類の各々についてコンテンツデータのダウンロードを許可したときに用いた前記処理装置の識別情報、前記コンテンツ関連識別情報、前記乱数および前記機器識別情報のリストを示すログと、予め登録された前記処理装置の識別情報のリストとを記憶する記憶手段と、前記携帯通信装置からのアクセスに応じて、前記携帯通信装置のアプリケーションプログラムを起動し、当該アプリケーションプログラムに前記パラメータを設定するアプリケーション起動手段と、前記受信手段が受信した前記パラメータに含まれる前記処理装置の識別情報が前記記憶手段に記憶された前記処理装置の識別情報のリスト内に存在するかを判断する第１の判断処理と、前記パラメータに含まれる前記コンテンツ関連識別情報および前記乱数と前記受信手段が受信した前記機器識別情報とを基に、前記ログを参照して、他の前記機器識別情報の携帯通信装置によって同じコンテンツ関連識別情報および乱数を用いて前記撮像画像に対応付けられたコンテンツデータが既にダウンロードされていないか否かを判断する第２の判断処理とを行う判断手段と、前記判断手段が行った前記第１の判断処理および前記第２の判断処理で肯定的な判断結果が得られた場合に、前記携帯通信装置による前記撮像画像に対応したコンテンツデータのダウンロードを許可する許可手段とを有する。
【００１３】
第６の観点の発明のサービス提供方法は、近接通信手段を有する携帯通信装置を用いたサービス提供方法であって、前記携帯通信装置が、所定の場所に設置された処理装置と近距離通信を行って、前記処理装置の識別情報、コンテンツ関連識別情報、乱数および前記携帯通信装置に内蔵されたＩＣチップの識別情報を暗号化したパラメータと、ネットワーク上のアドレスとを設定する第１の工程と、前記携帯通信装置が、前記第１の工程で設定された前記アドレスのサーバにアクセスを行い、前記パラメータと当該携帯通信装置の機器識別情報とを前記サーバに送信する第２の工程と、前記サーバが、前記携帯通信装置からの権利購入要求を受けて権利購入処理を行い、前記権利購入要求に応じて権利を販売することを決定した場合に、前記携帯通信装置の前記ＩＣチップの識別情報を登録する第３の工程と、前記携帯通信装置から権利データダウンロード要求を受けると、当該携帯通信装置から受けた前記ＩＣチップの識別情報が登録されているか否かを判断する第１の判断処理と、前記第２の工程で受信した前記パラメータに含まれる前記処理装置の識別情報が予め保持する識別情報リスト内に存在するか否かを判断する第２の判断処理と、前記コンテンツ関連識別情報、前記乱数および前記機器識別情報を基に、他の前記機器識別情報の携帯通信装置によって同じコンテンツ関連識別情報および乱数を用いて既に権利データがダウンロードされていないかを判断する第３の判断処理とを行う第４の工程と、前記第４の工程で行った前記第１の判断処理、前記第２の判断処理および前記第３の判断処理の全てで肯定的な判断が得られた場合に、前記携帯通信装置による前記権利データのダウンロードを許可する第５の工程とを有する。
【００１４】
第７の観点の発明のサーバは、携帯通信装置が所定の場所に設置された処理装置と近距離通信を行って取得した前記処理装置の識別情報、コンテンツ関連識別情報、乱数および前記携帯通信装置に内蔵されたＩＣチップの識別情報を暗号化したパラメータと、前記携帯通信装置の機器識別情報とを、前記携帯通信装置から受信する受信手段と、コンテンツのダウンロードを許可したときに用いた前記処理装置の識別情報、前記コンテンツ関連識別情報、前記乱数および前記機器識別情報のリストを示すログと、予め登録された前記処理装置の識別情報のリストとを記憶する記憶手段と、前記携帯通信装置からの権利購入要求を受けて権利購入処理を行い、前記権利購入要求に応じて権利を販売することを決定した場合に、前記携帯通信装置の前記ＩＣチップの識別情報を前記記憶手段に登録する権利処理手段と、前記携帯通信装置から権利データダウンロード要求を受けると、当該携帯通信装置から受けた前記ＩＣチップの識別情報が前記登録されているか否かを判断する第１の判断処理と、前記受信手段が受信した前記パラメータに含まれる前記処理装置の識別情報が前記記憶手段に記憶された識別情報リスト内に存在するか否かを判断する第２の判断処理と、前記コンテンツ関連識別情報、前記乱数および前記機器識別情報を基に、他の前記機器識別情報の携帯通信装置によって同じコンテンツ関連識別情報および乱数を用いて既に権利データがダウンロードされていないかを判断する第３の判断処理とを行う判断手段と、前記判断手段による前記第１の判断処理、前記第２の判断処理および前記第３の判断処理の全てで肯定的な判断が得られた場合に、前記携帯通信装置による前記権利データのダウンロードを許可する許可手段と
を有する。
【００１５】
第８の観点の発明の携帯通信装置は、近距離通信機能を備え、所定の場所に設置された処理装置と近距離通信を行って、前記処理装置の識別情報、コンテンツ関連識別情報、乱数および当該ＩＣチップの識別情報を暗号化したパラメータと、ネットワーク上のアドレスと受信するＩＣチップと、ネットワーク通信手段と、前記ネットワーク通信手段の通信機能を用いて、前記アドレスのサーバにアクセスを行い、前記パラメータと当該携帯通信装置の識別情報とを前記サーバに送信し、権利購入時に前記サーバに前記ＩＣチップの識別情報を提供し、権利データダウンロード要求を前記サーバに送信し、前記サーバからダウンロード許可を受けると前記サーバから前記権利データをダウンロードする制御手段とを有する。
【発明の効果】
【００１６】
本発明によれば、所定の場所に設置された処理装置と近距離通信を行った携帯通信装置に対してのみ、所定のサーバからコンテンツデータを受け取ることができるようにするサービス提供方法、サーバおよび携帯通信装置を提供することができる。
【発明を実施するための最良の形態】
【００１７】
＜第１実施形態＞
図１は、本発明の第１実施形態に係る通信システム１の全体構成図である。
図１に示すように、通信システム１は、例えば、携帯電話１２、パーソナルコンピュータ１４、Ｒ／Ｗ装置１６、ＡＳＰ運営端末装置２０、コンテンツプロバイダー２２、ＣＰ運営サーバ２４、ＡＳＰサーバ２６を有する。
通信システム１において、パーソナルコンピュータ１４およびＲ／Ｗ装置１６は、例えば、店舗やイベント会場等に設置されている。
【００１８】
［携帯電話１２］
携帯電話１２は、ネットワーク通信により、他の機器と移動通信する機能を備えている。携帯電話１２は、インターネットに接続可能である。当該移動通信に用いられる通信網は、ＣＤＭＡ(Code Division Multiple Access)、ＰＤＣ(Personal Digital Cellular)、ＰＤＣ−Ｐ(PDC-Packet)方式、ＩＭＴ−２０００方式などが用いられる。
【００１９】
また、携帯電話１２は、ユーザが店舗や会場などでＲ／Ｗ装置１６に近づけられると、Ｒ／Ｗ装置１６との間で近距離通信を行う。また、ユーザの操作に応じてコンテンツデータをダウンロードするために用いられる。
【００２０】
図２は、図１に示す携帯電話１２の機能ブロック図である。
図２に示すように、携帯電話１２は、例えば、通信機能部５２、ディスプレイ５４、操作部５６、メモリ５８および処理回路５９を有している。
本実施形態で規定する携帯電話１２の処理は、メモリ５８に記憶されているプログラムを処理回路５９が実行して実現される。このとき、当該実行に用いるデータを適宜、メモリ５８から読み出し、あるいはメモリ５８に書き込む。
【００２１】
携帯電話１２には、非接触方式の通信を行うＩＣチップ５５が組み込まれており、当該ＩＣチップにはユニークな識別情報であるＩＣＩＤが設定されている。
本実施形態では、例えば、ＩＣチップ５５を用いて携帯電話１２がＲ／Ｗ装置１６と近接通信を行う。ＩＣチップ５５は、耐タンパ性のモジュールであり、内部解析（リバース・エンジニアリング）や改変に対する防護機能を備えている。
ＩＣチップ５５は、携帯電話１２に対して固定式、あるいは着脱可能に内蔵されている。ＩＣチップ５５としては、例えば、ソニー株式会社製の“Ｆｅｌｉｃａ（登録商標）”が用いられる。
【００２２】
携帯電話１２の代わりに、携帯型ゲーム機やＰＤＡ等の携帯型情報処理装置等であってもよい。
【００２３】
［パーソナルコンピュータ１４］
パーソナルコンピュータ１４は、提供を受けたソフトウェアを実行する。
パーソナルコンピュータ１４には、コンテンツプロバイダー２２の識別情報ＣＰＩＤ、Ｒ／Ｗ装置１６の識別情報ＲＷＩＤ、通知ＵＲＬが設定される。
コンテンツプロバイダー２２は、自らが提供するコンテンツデータを利用させるパーソナルコンピュータ１４を自由に設定できる。
また、パーソナルコンピュータ１４は、乱数発生機能を有している。
パーソナルコンピュータ１４は、上記設定された識別情報ＲＷＩＤを持つＲ／Ｗ装置１６に対して、ＣＰＩＤおよび通知ＵＲＬを出力すると共に、乱数を提供する。このとき、パーソナルコンピュータ１４は、識別情報ＲＷＩＤ、識別情報ＣＰＩＤおよび乱数を暗号化してパラメータとしてＲ／Ｗ装置１６に提供する。当該暗号化は、公開鍵暗号方式および共通鍵暗号方式のいずれでもよい。
【００２４】
パーソナルコンピュータ１４は、携帯電話１２のＩＣチップのＩＣＩＤが過去に会員登録を行ったものと同じである場合には、そのときの同じ乱数を提供する。また、パーソナルコンピュータ１４は、例えば、携帯電話１２のパラメータを他人に不正に利用されてしまった場合に、所定の指示により、携帯電話１２に対して再び新たな乱数を提供する。
【００２５】
［Ｒ／Ｗ装置１６］
Ｒ／Ｗ装置１６は、携帯電話１２との間で近距離通信を行う。
当該近距離通信のプロトコルとしては、例えば、ＮＦＣ(Near Field
Communication)、ＩＳＯ／ＩＥＣ１４４４３、Ｂｌｕｅｔｏｏｔｈ，ＵＷＢ(Ultra Wide Band)、ＩＥＥＥ８０２．１１ｂなどが用いられる。
当該近距離通信は、接触式および非接触式のいずれでもよい。
Ｒ／Ｗ装置１６は、上記近距離通信により、ＣＰＩＤ、通知ＵＲＬおよび乱数を携帯電話１２に送信する。
Ｒ／Ｗ装置１６は、店舗や会場などの現場に設置されている。
【００２６】
［ＡＳＰ運営端末装置２０］
ＡＳＰ運営端末装置２０は、コンテンツプロバイダー２２の識別情報ＣＰＩＤをＡＳＰサーバ２６に登録する。
また、ＡＳＰ運営端末装置２０は、コンテンツプロバイダー２２にＣＰＩＤを付与し、パーソナルコンピュータ１４が実行するソフトウェアをパーソナルコンピュータ１４に提供する。
【００２７】
［ＣＰ運営サーバ２４］
図１に示すように、ＣＰ運営サーバ２４は、例えば、データ送受信部３０、会員登録部３２、表示制御部３４、制御部３６を機能ブロックとして有している。
会員登録部３２は、携帯電話１２からのアクセスに応じて会員登録の処理を行う。
表示制御部３４は、会員登録された携帯電話１２に、コンテンツデータをダウンロードするページへのリンクを含むマイページを提供する。
会員登録部３２は、携帯電話１２の属性情報に基づいて当該携帯電話１２の表示に適合した前記マイページのＨＴＭＬデータを生成する。
【００２８】
図３に示すように、ＣＰ運営サーバ２４は、例えば、インタフェース６２、メモリ６８および処理回路６９を有している。
図１に示すＣＰ運営サーバ２４の各機能ブロックは、メモリ６８、あるいはメモリ６８に記憶されているプログラムを処理回路６９が実行して実現される。このとき、当該実行に用いるデータを適宜、メモリ６８から読み出し、あるいはメモリ６８に書き込む。
【００２９】
［ＡＳＰサーバ２６］
図１に示すように、ＡＳＰサーバ２６は、例えば、データ送受信部４０、認証部４４、制御部４６、データベース４８およびデータベース４９を機能ブロックとして有している。
【００３０】
データベース４８は、ダウンロード対象となるデジタルコンテンツデータＣＤの管理データを記憶する。
データベース４９は、ダウンロード対象となるデジタルコンテンツデータＣＤを記憶する。
認証部４４は、ＣＰ運営サーバ２４からリンクのパラメータを受けると、それとダウンロード済ログとを基に、デジタルコンテンツデータのダウンロードを許可するかを判断する。
【００３１】
図４に示すように、ＡＳＰサーバ２６は、例えば、通信機能部７２、メモリ７８および処理回路７９を有している。
図１に示すＡＳＰサーバ２６の各機能ブロックは、メモリ６８、あるいはメモリ７８に記憶されているプログラムを処理回路７９が実行して実現される。このとき、当該実行に用いるデータを適宜、メモリ７８から読み出し、あるいはメモリ７８に書き込む。
【００３２】
以下、図１に示す通信システム１の動作例を説明する。
［パーソナルコンピュータ１４の設定処理］
図５（Ａ）は、パーソナルコンピュータ１４の設定処理を説明するためのフローチャートである。
ＡＳＰ運営端末装置２０が、コンテンツプロバイダー２２に識別情報ＣＰＩＤを割り当て、これをコンテンツプロバイダー２２に送信する（ステップＳＴ１１）。
また、ＡＳＰ運営端末装置２０が、パーソナルコンピュータ１４で使用されるプログラムをコンテンツプロバイダー２２に送信する（ステップＳＴ１２）。
【００３３】
コンテンツプロバイダー２２は、オンライによって、上記プログラムをパーソナルコンピュータ１４に設定する。
また、コンテンツプロバイダー２２は、その識別情報ＣＰＩＤ、コンテンツを提供する対象とするＲ／Ｗ装置１６の識別情報ＲＷＩＤ、通知ＵＲＬをパーソナルコンピュータ１４の上記プログラムに登録する（ステップＳＴ１３）。
【００３４】
［ＡＳＰサーバ２６へのコンテンツ登録処理］
図５（Ｂ）は、ＡＳＰサーバ２６へのコンテンツ登録処理を説明するためのフローチャートである。
ＡＳＰ運営端末装置２０からＡＳＰサーバ２６に、デジタルコンテンツデータの登録要求が出される（ステップＳＴ２１）。
ＡＳＰサーバ２６の制御部４６は、上記登録要求に応じて、コンテンツプロバイダー２２が提供するデジタルコンテンツデータを登録する（ステップＳＴ２２）。
当該登録によって、ダウンロード対象のデジタルコンテンツデータが、コンテンツプロバイダー２２からＡＳＰサーバ２６に送信され、ＡＳＰサーバ２６のデータベース４９に登録される。
【００３５】
［デジタルコンテンツデータの取得］
以下、携帯電話１２が、デジタルコンテンツデータを取得する際の動作例を説明する。
図６は、図１に示す通信システム１において、携帯電話１２が、デジタルコンテンツデータを取得する際の動作例を説明するためのフローチャートである。
【００３６】
ユーザは、店舗や会場などに出向いたときに、そこに設置されたＲ／Ｗ装置１６に携帯電話１２をタッチするなどして近づける。
パーソナルコンピュータ１４あるいはＲ／Ｗ装置１６は、乱数を発生し、当該乱数と既に設定されている識別情報ＣＰＩＤ、携帯電話１２に内蔵されたＩＣチップの識別情報ＩＣＩＤおよび識別情報ＲＷＩＤを暗号化する。当該暗号化は、例えば、ＡＳＰサーバ２６の公開鍵を用いて行われる。
【００３７】
そして、Ｒ／Ｗ装置１６から携帯電話１２に上記暗号化された「乱数、識別情報ＣＰＩＤ、識別情報ＩＣＩＤ、識別情報ＲＷＩＤ」と、通知ＵＲＬが設定される（ステップＳＴ３１）。これらのデータは、図２に示す携帯電話１２のメモリ５８に書き込まれる。当該書き込みは、携帯電話１２とＲ／Ｗ装置１６との間の近距離通信により行われ、携帯電話１２のユーザがＲ／Ｗ装置１６の設置場所に出向かないと行うことができない。
ここで、通知ＵＲＬは、ＣＰ運営サーバ２４のネットワークアドレスである。
【００３８】
ユーザは、携帯電話１２の操作部５６を操作して、ブラウザを起動し、上記設定された通知ＵＲＬを基にＣＰ運営サーバ２４にアクセスを行う。
これにより、携帯電話１２からＣＰ運営サーバ２４に上記暗号化された「乱数、識別情報ＣＰＩＤ、識別情報ＩＣＩＤ、識別情報ＲＷＩＤ」と、携帯電話１２の識別情報である端末ＩＤがＣＰ運営サーバ２４に送信される（ステップＳＴ３２）。これらのデータは、図３に示すＣＰ運営サーバ２４のメモリ６８に書き込まれる。
【００３９】
その後、携帯電話１２を用いて、ＣＰ運営サーバ２４に当該ユーザの会員登録処理を行わせる（ステップＳＴ３３）。このとき、ＣＰ運営サーバ２４の会員登録部３２が当該会員登録処理を行う。
【００４０】
ＣＰ運営サーバ２４は、デジタルコンテンツデータをダウンロードするためのリンクを含むウェブサイトプログラムを生成し、これを携帯電話１２に送信する。そして、携帯電話１２がこれを実行して当該ウェブページの画面がディスプレイ５４に表示される（ステップＳＴ３４）。当該ウェブページには、デジタルコンテンツデータへのダウンロードリンクが含まれ、当該リンクのパラメータとしては、上記暗号化された「乱数、識別情報ＣＰＩＤ、識別情報ＩＣＩＤ、識別情報ＲＷＩＤ」と、端末ＩＤとが設定されている。
【００４１】
そして、ユーザが携帯電話１２を操作して上記リンクを指定すると、ＣＰ運営サーバ２４の制御部４６が、メモリ６８から上記暗号化された「乱数、識別情報ＣＰＩＤ、識別情報ＩＣＩＤ、識別情報ＲＷＩＤ」と、端末ＩＤとを読み出して、リンクのパラメータとしてＡＳＰサーバ２６に自動的に送信する（ステップＳＴ３５）。
【００４２】
図１に示すＡＳＰサーバ２６のデータ送受信部４０は、ＣＰ運営サーバ２４からパラメータとして暗号化された「乱数、識別情報ＣＰＩＤ、識別情報ＩＣＩＤ、識別情報ＲＷＩＤ」を受信する。
そして、認証部４４が、データベース４８に記憶されているＲＷＩＤリスト４８２を参照して、上記受信した識別情報ＲＷＩＤが事前に登録されたリスト内にあるか否かを検証する（ステップＳＴ３６）。
【００４３】
また、ＡＳＰサーバ２６の認証部４４は、上記乱数、識別情報ＣＰＩＤ、コンテンツＩＤ、端末ＩＤとを基に、ダウンロード対象となるデジタルコンテンツデータが、既に他の携帯電話によってダウンロードされていないかを検証する（ステップＳＴ３７）。具体的には、認証部４４は、過去にダウンロードを行った際に用いられた、識別情報ＣＰＩＤ、コンテンツＩＤ、乱数、端末ＩＤの組をログとしてダウンロード済ログ４８１に記録し、「識別情報ＣＰＩＤ、コンテンツＩＤ、乱数」が同じで、端末ＩＤが異なる条件でダウンロードが過去に行われた場合に、既に他の携帯電話によってダウンロードされたと判断する。
【００４４】
ＡＳＰサーバ２６の制御部４６は、ステップＳＴ３６，ＳＴ３７の検証結果をＣＰ運営サーバ２４に送信する（ステップＳＴ３７）。
【００４５】
ＣＰ運営サーバ２４の制御部３６は、ステップＳＴ３７で受信した検証結果を基に、ステップＳＴ３６で、「識別情報ＲＷＩＤが事前に登録されたリスト内にある」と判断し、且つ、ステップＳＴ３６で「既に他の携帯電話によってダウンロードされていない」と判断した場合に、デジタルコンテンツデータのダウンロードを許可する（ステップＳＴ３８）。
【００４６】
これにより、ＡＳＰサーバ２６の制御部４６が、データベース４９から指定されたデジタルコンテンツデータＣＤを読み出してＣＰ運営サーバ２４に送信する。
また、ＣＰ運営サーバ２４の制御部３６が、ＡＳＰサーバ２６から受信したデジタルコンテンツデータＣＤを携帯電話１２に送信する（ステップＳＴ３９）。これにより、携帯電話１２がデジタルコンテンツデータＣＤのダウンロードを完了する。
【００４７】
ＡＳＰサーバ２６の制御部４６は、上記ステップＳＴ３９のダウンロードが完了すると、当該ダウンロードに関する識別情報ＣＰＩＤ、コンテンツＩＤ、乱数、端末ＩＤをダウンロード済ログ４８１としてデータベース４８に書き込む（ステップＳＴ４０）。
【００４８】
以上説明したように、通信システム１によれば、ユーザはＲ／Ｗ装置１６が設置された場所に出向いてＲ／Ｗ装置１６から暗号化された「乱数、識別情報ＣＰＩＤ、識別情報ＲＷＩＤ」と、通知ＵＲＬを受信することで、ＡＳＰサーバ２６からデジタルコンテンツデータをダウンロードできる。これにより、ユーザがＲ／Ｗ装置１６の設置場所に出向く動機付けを与えることができる。
【００４９】
また、通信システム１によれば、乱数を用いたことで、携帯電話１２のユーザが適切に取得したパラメータが不正に他人に利用されてデジタルコンテンツデータがダウンロードされてしまった場合に、管理者の許諾等を経て、Ｒ／Ｗ装置１６で新たな乱数を取得して、それを基にデジタルコンテンツデータのダウンロードを行うことができる。
【００５０】
また、通信システム１によれば、パラメータとしてＲ／Ｗ装置１６の識別情報ＲＷＩＤを用い、かつパラメータを暗号化することで、Ｒ／Ｗ装置１６以外のＲ／Ｗ装置を用いて適切なパラメータを生成することが困難である。
【００５１】
また、通信システム１によれば、ダウンロード済ログを用いてダウンロードの可否を判断するため、来場者の携帯電話１２からＵＲＬとパラメータを他の携帯電話に転送した場合に、そのパラメータを不正に用いてデジタルコンテンツデータをダウンロードすることを拒否できる。
【００５２】
また、通信システム１によれば、通知ＵＲＬでＣＰ運営サーバ２４のＵＲＬを指定することで、キャリア連携のポータルサイトを利用しなくても、携帯電話１２から業界で構築したポータルサイトに自動的にアクセスさせることができる。そのため、キャリア毎にポータルサイトを構築する場合に比べてサイト構築に伴う負担を大幅に軽減できる。
【００５３】
＜第２実施形態＞
図７は、本発明の第２実施形態に係る通信システム１０１の全体構成図である。
図７に示すように、通信システム１０１では、例えば、携帯電話１２、ＤＬ用パーソナルコンピュータ１１４、Ｒ／Ｗ装置１１５、ＡＰ起動用パーソナルコンピュータ１１６、Ｒ／Ｗ装置１１７、パチンコ台１２０が、パチンコ店に設置されている。
携帯電話１２の基本機能は、第１実施形態で説明したものと同じである。
なお、本実施形態では、パチンコ台１２０を例示するが、チパスロ等、その他の装置を用いてもよい。
【００５４】
また、通信システム１０１では、ＣＰ運営サーバ１２４およびＡＳＰサーバ１２６が用いられる。
【００５５】
ＤＬ用パーソナルコンピュータ１１４は、携帯電話１２に対して、携帯アプリケーションプログラムをダウンロードするためのＵＲＬをＲ／Ｗ装置１１５に出力する。当該ＵＲＬは、例えば、ＣＰ運営サーバ１２４内のＵＲＬである。
【００５６】
Ｒ／Ｗ装置１１５は、携帯電話１２に対して、上記ＵＲＬを近距離通信で送信する。携帯電話１２は、受信した上記ＵＲＬをメモリ５８に書き込む。
【００５７】
ＡＰ起動用パーソナルコンピュータ１１６は、乱数を発生し、当該乱数と既に設定されている識別情報ＣＰＩＤおよび識別情報ＲＷＩＤを暗号化する。当該暗号化は、例えば、ＡＳＰサーバ２６の公開鍵を用いて行われる。
そして、Ｒ／Ｗ装置１６から携帯電話１２に上記暗号化された「乱数、識別情報ＣＰＩＤ、ＩＣＩＤ、識別情報ＲＷＩＤ」であるパラメータと、起動用ＵＲＬが近距離通信により設定される。当該ＵＲＬは、例えば、ＣＰ運営サーバ１２４内のＵＲＬである。
【００５８】
［ＣＰ運営サーバ１２４］
図７に示すように、ＣＰ運営サーバ１２４は、例えば、データ送受信部１３０、会員登録部１３２、携帯アプリＤＬ部１３４、携帯アプリ起動部１３６、表示制御部１３７、制御部１３８を機能ブロックとして有している。
会員登録部１３２は、携帯電話１２からのアクセスに応じて会員登録の処理を行う。
会員登録部３２は、携帯電話１２の属性情報に基づいて当該携帯電話１２の表示に適合した前記マイページのＨＴＭＬデータを生成する。
【００５９】
携帯アプリＤＬ部１３４は、携帯電話１２からアクセスを受けると、携帯アプリケーションプログラムを携帯電話１２にダンンロードさせる。
携帯アプリ起動部１３６は、携帯電話１２からアクセスを受けると、携帯電話１２にダウンロードされた携帯アプリケーションプログラムに、上記パラメータを設定する。
表示制御部１３７は、会員登録された携帯電話１２に、コンテンツデータをダウンロードするページへのリンクを含むマイページを提供する。
【００６０】
制御部１３８は、ＣＰ運営サーバ１２４の処理を統括的に制御する。
【００６１】
ＣＰ運営サーバ１２４は、図３に示すＣＰ運営サーバ２４と同様のハードウェア構成を有している。図７に示すＣＰ運営サーバ１２４の各機能ブロックは、図３に示すメモリ６８、あるいはメモリ６８に記憶されているプログラムを処理回路６９が実行して実現される。このとき、当該実行に用いるデータを適宜、メモリ６８から読み出し、あるいはメモリ６８に書き込む。
【００６２】
［ＡＳＰサーバ１２６］
図７に示すように、ＡＳＰサーバ１２６は、例えば、データ送受信部１４０、認証部１４４、制御部１４６、データベース１４８およびデータベース１４９を機能ブロックとして有している。
【００６３】
データベース１４８は、ダウンロード対象となるデジタルコンテンツデータＣＤの管理データを記憶する。本実施形態において、デジタルコンテンツデータＣＤは、パチンコ台攻略用デジタルコンテンツデータであり、パチンコ台の種類に応じて複数用意されている。
データベース１４９は、ダウンロード対象となるデジタルコンテンツデータＣＤを記憶する。
認証部１４４は、ＣＰ運営サーバ１２４からリンクのパラメータを受けると、それとダウンロード済ログとを基に、デジタルコンテンツデータのダウンロードを許可するかを判断する。
【００６４】
ＡＳＰサーバ１２６は、図４に示すＡＳＰサーバ２６と同様に、例えば、通信機能部７２、メモリ７８および処理回路７９を有している。
図７に示すＡＳＰサーバ１２６の各機能ブロックは、メモリ６８、あるいはメモリ７８に記憶されているプログラムを処理回路７９が実行して実現される。このとき、当該実行に用いるデータを適宜、メモリ７８から読み出し、あるいはメモリ７８に書き込む。
【００６５】
以下、図７に示す通信システム１０１の動作例を説明する。
図８は、図７に示す通信システム１０１の動作例を説明するためのフローチャートである。
パチンコ店に来店したユーザは、ＤＬ用パーソナルコンピュータ１１４に携帯電話１２を近づける。これにより、Ｒ／Ｗ装置１１５が、携帯電話１２に対して、上記ＵＲＬを近距離通信で送信する。携帯電話１２は、受信した上記ＵＲＬをメモリ５８に書き込む（ステップＳＴ５１）。
【００６６】
携帯電話１２が、ステップＳＴ５１で書き込んだＵＲＬを基に、ＣＰ運営サーバ１２４内のサイトにアクセスする。こにより、ＣＰ運営サーバ１２４の携帯アプリＤＬ部１３４が、携帯アプリケーションプログラムを携帯電話１２にダウンロードさせる（ステップＳＴ５２）。
なお、携帯電話１２が、Ｒ／Ｗ装置１１５から直接、携帯アプリケーションプログラムをダウンロードしてもよい。
【００６７】
ＣＰ運営サーバ１２４の会員登録部１３２は、ステップＳＴ５２のアクセスに応じて会員登録処理を行う（ステップＳＴ５３）。なお、会員登録部１３２は、上記携帯アプリケーションプログラムに会員情報を設定する。
【００６８】
上記ユーザがＲ／Ｗ装置１１７に携帯電話１２を近づけると、ＡＰ起動用パーソナルコンピュータ１１６が、乱数を発生し、当該乱数と既に設定されている識別情報ＣＰＩＤ、ＩＣＩＤおよび識別情報ＲＷＩＤを暗号化する。当該暗号化は、例えば、ＡＳＰサーバ１２６の公開鍵を用いて行われる。
そして、Ｒ／Ｗ装置１１７から携帯電話１２に上記暗号化された「乱数、識別情報ＣＰＩＤ、ＩＣＩＤ、識別情報ＲＷＩＤ」であるパラメータと、起動用ＵＲＬが近距離通信により設定される（ステップＳＴ５４）。
【００６９】
携帯電話１２が、ステップＳＴ５４で設定した起動用ＵＲＬを基にＣＰ運営サーバ１２４にアクセスを行う。これにより、ＣＰ運営サーバ１２４の携帯アプリ起動部１３６が、携帯電話１２にダウンロードされた携帯アプリケーションプログラムに対して、ステップＳＴ５４のパラメータを設定する（ステップＳＴ５５）。なお、携帯アプリケーションプログラムは、上記パラメータが設定されてない状態で使用できない。また、上記設定されたパラメータが所定の時刻（例えば、午前０時）に自動的に消去されるようにしてもよい。これにより、ユーザに再来店をうながすことができる。
そして、携帯アプリ起動部１３６が、携帯電話１２の上記携帯アプリケーションプログラムを起動させる（ステップＳＴ５６）。
【００７０】
携帯電話１２は、パチンコ台１２０の正面側の所定箇所を撮像して撮像画像データを生成し、これをメモリ５８に書き込む（ステップＳＴ５７）。
携帯電話１２は、ＣＰ運営サーバ１２４のパチンコ台ページに自動ログインし、ステップＳＴ５７で生成した撮像画像データを送信する（ステップＳＴ５８）。このとき、携帯電話１２は、ステップＳＴ５４で設定した上記パラメータをＣＰ運営サーバ１２４に送信する。
【００７１】
図７に示すＡＳＰサーバ１２６のそデータ送受信部１４０は、ＣＰ運営サーバ１２４からパラメータとして暗号化された「乱数、識別情報ＣＰＩＤ、ＩＣＩＤ、識別情報ＲＷＩＤ」を受信する。
そして、認証部１４４が、データベース１４８に記憶されているＲＷＩＤリスト４８２を参照して、上記受信によって得た識別情報ＲＷＩＤが事前に登録されたリスト内にあるか否かを検証する（ステップＳＴ５９）。
【００７２】
また、ＡＳＰサーバ１２６の認証部１４４は、上記乱数、識別情報ＣＰＩＤ、コンテンツＩＤ、端末ＩＤとを基に、ダウンロード対象となるデジタルコンテンツデータが、既に他の携帯電話によってダウンロードされていないかを検証する（ステップＳＴ６０）。具体的には、認証部１４４は、過去にダウンロードを行った際に用いられた、識別情報ＣＰＩＤ、コンテンツＩＤ、乱数、端末ＩＤの組をログとしてダウンロード済ログ４８１に記録し、「識別情報ＣＰＩＤ、コンテンツＩＤ、乱数」が同じで、端末ＩＤが異なる条件でダウンロードが過去に行われた場合に、既に他の携帯電話によってダウンロードされたと判断する。これらの判断は、撮像画像データの種類に応じて行われる。
【００７３】
ＡＳＰサーバ１２６の制御部１４６は、ステップＳＴ１３６，ＳＴ１３７の検証結果をＣＰ運営サーバ１２４に送信する（ステップＳＴ６０）。
【００７４】
ＣＰ運営サーバ１２４の制御部１３６は、ステップＳＴ６０で受信した検証結果を基に、ステップＳＴ５９で、「識別情報ＲＷＩＤが事前に登録されたリスト内にある」と判断し、且つ、ステップＳＴ６０で「既に他の携帯電話によってダウンロードされていない」と判断した場合に、デジタルコンテンツデータのダウンロードを許可する（ステップＳＴ６０）。
【００７５】
これにより、ＡＳＰサーバ１２６の制御部１４６が、データベース１４９から指定された、上記撮像画像データに対応したパチンコ台攻略用デジタルコンテンツデータＣＤを読み出してＣＰ運営サーバ１２４に送信する。
また、ＣＰ運営サーバ１２４の制御部１３６が、ＡＳＰサーバ１２６から受信したパチンコ台攻略用デジタルコンテンツデータＣＤを携帯電話１２に送信する（ステップＳＴ６２）。これにより、携帯電話１２がパチンコ台攻略用デジタルコンテンツデータＣＤのダウンロードを完了する。
【００７６】
ＡＳＰサーバ１２６の制御部１４６は、上記ステップＳＴ６２のダウンロードが完了すると、当該ダウンロードに関する識別情報ＣＰＩＤ、コンテンツＩＤ、乱数、端末ＩＤをダウンロード済ログ４８１としてデータベース１４８に書き込む（ステップＳ６３）。
【００７７】
以上説明したように、通信システム１０１によれば、パチンコ台１２０の撮像画像データを用いることで、携帯電話１２のユーザが利用しているパチンコ台１２０の種類に応じて、それに適合したパチンコ台攻略用デジタルコンテンツデータを携帯電話１２に提供できる。
また、通信システム１０１によれば、第１実施形態の通信システム１の機能を備えているため、前述した通信システム１と同様の効果も得ることができる。
【００７８】
通信システム１０１において、パチンコの出玉で交換したデジタルコンテンツデータを提供するようにしてもよい。この場合に、例えば、１つのパチンコ景品モバイルサイトを作り、デジタルコンテンツデータを蓄積する。そして、出玉でデジタルコンテンツデータを交換するユーザが、携帯電話１２を用いてデジタルコンテンツデータをダウンロードする際に、その金銭を出玉にて支払うようにする。
また、デジタルコンテンツデータのプロバイダサイトをポータルサイト内に収容し、出玉課金代行手数料を徴収するシステムを構築してもよい。
【００７９】
＜第３実施形態＞
本実施形態では、スポーツやコンサートチケットを、店舗や駅に設置された端末であるＲ／Ｗ装置２１６を用いて販売するシステムを説明する。
【００８０】
図９は、本発明の第３実施形態に係る通信システム２０１の全体構成図である。
図１０および図１１は、図９に示す通信システム２０１の動作例を説明するためのフローチャートである。
以下、図９に示す通信システム２０１の動作例を図１０を参照しながら説明する。
【００８１】
ユーザは、駅の売店等に設置されたＲ／Ｗ装置２１６に携帯電話１２をタッチするなどして近づける。
Ｒ／Ｗ装置２１６は、携帯電話１２から近距離通信により、ＩＣチップの識別情報ＩＣＩＤを読み出す。
【００８２】
パーソナルコンピュータ２１４あるいはＲ／Ｗ装置２１６は、乱数を発生し、当該乱数と既に設定されている識別情報ＣＰＩＤ、識別情報ＲＷＩＤ、ＩＣＩＤを暗号化する。当該暗号化は、例えば、ＡＳＰサーバ２２６の公開鍵を用いて行われる。
そして、Ｒ／Ｗ装置２１６から携帯電話１２に上記暗号化された「乱数、識別情報ＣＰＩＤ、識別情報ＲＷＩＤ、ＩＣＩＤ」と、通知ＵＲＬが設定される（ステップＳＴ７１）。これらのデータは、図２に示す携帯電話１２のメモリ５８に書き込まれる。当該書き込みは、携帯電話１２とＲ／Ｗ装置２１６との間の近距離通信により行われ、携帯電話１２のユーザがＲ／Ｗ装置２１６の設置場所に出向かないと行うことができない。
【００８３】
ユーザは、携帯電話１２の操作部５６を操作して、ブラウザを起動し、上記設定された通知ＵＲＬを基にＣＰ運営サーバ２２４にアクセスを行う。
これにより、携帯電話１２からＣＰ運営サーバ２２４に上記暗号化された「乱数、識別情報ＣＰＩＤ、識別情報ＲＷＩＤ、ＩＣＩＤ」と、携帯電話１２の識別情報である端末ＩＤがＣＰ運営サーバ２２４に送信される（ステップＳＴ７２）。これらのデータは、図３に示すＣＰ運営サーバ２２４のメモリ６８に書き込まれる。
【００８４】
その後、携帯電話１２を用いて、ＣＰ運営サーバ２２４に当該ユーザの会員登録処理を行わせる（ステップＳＴ７３）。このとき、ＣＰ運営サーバ２２４の会員登録部２３２が当該会員登録処理を行う。
【００８５】
ＣＰ運営サーバ２２４は、デジタルコンテンツデータをダウンロードするためのリンクを含むウェブサイトプログラムを生成し、これを携帯電話１２に送信する。そして、携帯電話１２がこれを実行して当該ウェブサイトの画面がディスプレイ５４に表示される（ステップＳＴ７４）。当該ウェブページには、チケットデータ（本発明の権利データ）へのダウンロードリンクが含まれ、当該リンクのパラメータとしては、上記暗号化された「乱数、識別情報ＣＰＩＤ、識別情報ＲＷＩＤ、ＩＣＩＤ」と、端末ＩＤとが設定されている。
【００８６】
そして、ユーザが携帯電話１２を操作して上記リンクを指定すると、ＣＰ運営サーバ２２４の制御部２３８が、メモリ６８から上記暗号化された「乱数、識別情報ＣＰＩＤ、識別情報ＲＷＩＤ、ＩＣＩＤ」と、端末ＩＤとを読み出して、リンクのパラメータとしてＡＳＰサーバ２２６に自動的に送信する（ステップＳＴ７５）。
【００８７】
ユーザは、携帯電話１２を操作して、自らが希望するチケットの購入操作を行う（ステップＳＴ７６）。当該購入操作では、ユーザが検索画面を用いて自らが興味のあるイベントのチケット情報を検索する。また、ユーザは、チケット販売者が提示する金額を支払う操作、あるいはオークションに参加する等の操作を行う。このとき、携帯電話１２からＣＰ運営サーバ２２４に、携帯電話１２のＩＣチップの識別情報ＩＣＩＤが暗号化されて送信される。当該ＩＣＩＤは、図３に示すＣＰ運営サーバ２２４のメモリ６８に書き込まれる。
【００８８】
ＣＰ運営サーバ２２４のチケット処理部２３４は、携帯電話１２のユーザにチケットを販売することを決定すると、ステップＳＴ７６でメモリ６８に書き込んだ暗号化されたＩＣＩＤを読み出して、ＡＳＰサーバ２２６に送信する（ステップＳＴ７７）。
なお、チケット処理部２３４は、チケットの売主に、携帯電話１２のユーザから得た金銭から所定の手数料を差し引いて支払う処理を行う。
【００８９】
ＡＳＰサーバ２２６のチケット処理部２４６は、ステップＳＴ７７で受信したＩＣＩＤを、チケットを撮像した画像データ（コンテンツデータ）に割り当てら得たＩＣＩＤに購入者として登録する（ステップＳＴ７８）。当該登録データは、データベース２４８に格納される。
【００９０】
そして、ユーザが携帯電話１２を操作して、ダウンロード要求をＣＰ運営サーバ２２４に送信する（ステップＳＴ７９）。このとき、携帯電話１２からＣＰ運営サーバ２２４に、携帯電話１２のＩＣチップの暗号化された識別情報ＩＣＩＤが送信される。
当該ダウンロード要求は、ＣＰ運営サーバ２２４を介してＡＳＰサーバ２２６に送信される。
【００９１】
ＡＳＰサーバ２２６のチケット処理部２４６は、データベース２４８を参照して、ステップＳＴ７９で受信した暗号化されたＩＣＩＤが、ダウンロード要求に対応するコンテンツのＩＣＩＤに購入者として登録されているかを検証する（ステップＳＴ８０）。当該検証は、暗号化されたＩＣＩＤを基に行われる。これにより個人情報が保護される。
【００９２】
図９に示すＡＳＰサーバ２２６のデータ送受信部２４０は、ＣＰ運営サーバ２２４からパラメータとして暗号化された「乱数、識別情報ＣＰＩＤ、識別情報ＲＷＩＤ」を受信する。
そして、認証部２４４が、データベース２４８に記憶されているＲＷＩＤリスト４８２を参照して、上記受信した識別情報ＲＷＩＤが事前に登録されたリスト内にあるか否かを検証する。
【００９３】
また、ＡＳＰサーバ２２６の認証部２４４は、上記乱数、識別情報ＣＰＩＤ、コンテンツＩＤ、端末ＩＤとを基に、ダウンロード対象となるチケットデータが、既に他の携帯電話によってダウンロードされていないかを検証する。具体的には、認証部２４４は、過去にダウンロードを行った際に用いられた、識別情報ＣＰＩＤ、コンテンツＩＤ、乱数、端末ＩＤの組をログとしてダウンロード済ログ４８１に記録し、「識別情報ＣＰＩＤ、コンテンツＩＤ、乱数」が同じで、端末ＩＤが異なる条件でダウンロードが過去に行われた場合に、既に他の携帯電話によってダウンロードされたと判断する（ステップＳＴ８１）。
ＡＳＰサーバ２２６の制御部２４６は、ステップＳＴ８０の検証結果をＣＰ運営サーバ２４に送信する。
【００９４】
ＣＰ運営サーバ２２６のチケット処理部２４６は、ステップＳＴ８１で受信した検証結果を基に、「識別情報ＲＷＩＤが事前に登録されたリスト内にある」と判断し、且つ、ステップＳＴ８０で「既に他の携帯電話によってダウンロードされていない」と判断した場合に、チケットデータ（コンテンツデータ）ＣＤのダウンロードを許可する（ステップＳＴ８２）。
【００９５】
これにより、ＡＳＰサーバ２２６のチケット処理部３２４が、データベース２４９から指定されたチケットデータＣＤを読み出してＣＰ運営サーバ２２４に送信する。
また、ＣＰ運営サーバ２２４のチケット処理部２３４が、ＡＳＰサーバ２２６から受信したチケットデータＣＤを携帯電話１２に送信する（ステップＳＴ８３）。これにより、携帯電話１２がチケットデータＣＤのダウンロードを完了する。携帯電話１２では、当該チケットデータＣＤに応じた画像が表示され、ユーザは正常に購入したことを確認できる。
【００９６】
ＡＳＰサーバ２２６のチケット処理部２４６は、上記ステップＳＴ８３のダウンロードが完了すると、当該ダウンロードに関する識別情報ＣＰＩＤ、コンテンツＩＤ、乱数、端末ＩＤをダウンロード済ログ４８１としてデータベース２４８に書き込む（ステップＳＴ８４）。
【００９７】
その後、ユーザが携帯電話１２を持参してイベント会場に出向き、イベント会場に設置されたＲ／Ｗ装置２１９に携帯電話１２を近づけて（例えば、タッチして）近距離通信を行う。
このとき、携帯電話１２の識別情報ＩＣＩＤがＲ／Ｗ装置２１９に読み込まれ、Ｒ／Ｗ装置２１９あるいはパーソナルコンピュータ２１８において暗号化されて携帯電話１２に戻される。
そして、当該暗号化されたＩＣＩＤを含むダウンロード要求が携帯電話１２からＣＰ運営サーバ２２４に送信される（ステップＳＴ８５）。当該ダウンロード要求は、ＣＰ運営サーバ２２４を介してＡＳＰサーバ２２６に送信される。
【００９８】
ＡＳＰサーバ２２６のチケット処理部２４６は、データベース２４８を参照して、ステップＳＴ７９で受信した暗号化されたＩＣＩＤが、ダウンロード要求に対応するコンテンツのＩＣＩＤに購入者として登録されているかを検証する（ステップＳＴ８６）。
【００９９】
図９に示すＡＳＰサーバ２２６のデータ送受信部２４０は、ＣＰ運営サーバ２２４からパラメータとして暗号化された「乱数、識別情報ＣＰＩＤ、識別情報ＲＷＩＤ」を受信する。
そして、認証部２４４が、データベース２４８に記憶されているＲＷＩＤリスト４８２を参照して、上記受信した識別情報ＲＷＩＤが事前に登録されたリスト内にあるか否かを検証する。
【０１００】
また、ＡＳＰサーバ２２６の認証部２４４は、上記乱数、識別情報ＣＰＩＤ、コンテンツＩＤ、端末ＩＤとを基に、ダウンロード対象となるチケットデータが、既に他の携帯電話によってダウンロードされていないかを検証する。具体的には、認証部２４４は、過去にダウンロードを行った際に用いられた、識別情報ＣＰＩＤ、コンテンツＩＤ、乱数、端末ＩＤの組をログとしてダウンロード済ログ４８１に記録し、「識別情報ＣＰＩＤ、コンテンツＩＤ、乱数」が同じで、端末ＩＤが異なる条件でダウンロードが過去に行われた場合に、既に他の携帯電話によってダウンロードされたと判断する（ステップＳＴ８７）。
ＡＳＰサーバ２２６の制御部２４６は、ステップＳＴ８７の検証結果をＣＰ運営サーバ２４に送信する。
【０１０１】
ＣＰ運営サーバ２２４のチケット処理部２３４は、ステップＳＴ８７で受信した検証結果を基に、「識別情報ＲＷＩＤが事前に登録されたリスト内にある」と判断し、且つ、ステップＳＴ８０で「既に他の携帯電話によってダウンロードされていない」と判断した場合に、チケットデータ（コンテンツ）のダウンロードを許可する（ステップＳＴ８８）。
【０１０２】
これにより、ＡＳＰサーバ２２６のチケット処理部３２４が、データベース２４９から指定されたチケットデータＣＤを読み出してＣＰ運営サーバ２２４に送信する。
また、ＣＰ運営サーバ２２４のチケット処理部２３４が、ＡＳＰサーバ２２６から受信したチケットデータＣＤを携帯電話１２に送信する（ステップＳＴ８９）。これにより、携帯電話１２がチケットデータＣＤのダウンロードを完了する。
【０１０３】
ＡＳＰサーバ２２６のチケット処理部２４６は、上記ステップＳＴ８３のダウンロードが完了すると、当該ダウンロードに関する識別情報ＣＰＩＤ、コンテンツＩＤ、乱数、端末ＩＤをダウンロード済ログ４８１としてデータベース２４８に書き込む（ステップＳＴ９０）。
【０１０４】
そして、携帯電話１２のディスプレイ５４には、ステップＳＴ８３でダウンロードされたチケット画像が表示される（ステップＳＴ８１）。
係員は、携帯電話１２に表示されたチケット画像を確認した後に、Ｒ／Ｗ装置２１７に携帯電話１２を近づけると（例えば、タッチすると）、携帯電話１２がＲ／Ｗ装置２１７と近距離通信を行い、携帯電話１２内のチケットデータＣＤが自動的に削除される（ステップＳＴ９２）。また、携帯電話１２が、ＡＳＰサーバ２２６のチケット消去ページに自動的にアクセスされ、係員による消し込み指示によって、購入者のリストから携帯電話１２のＩＣＩＤを削除する（ステップＳＴ９３）。なお、購入者のリストにおいて携帯電話１２のＩＣＩＤが使用済みとしてチェックされるようにしてもよい。
【０１０５】
なお、Ｒ／Ｗ装置２１７にネットワーク通信機能を設け、Ｒ／Ｗ装置２１７がＡＳＰサーバ２２６と通信を行って、ＡＳＰサーバ２２６内の購入者リストから携帯電話１２のＩＣＩＤを削除するようにしてもよい。
【０１０６】
以上説明したように、通信システム２０１によれば、携帯電話１２のＩＣチップ５５の識別情報ＩＣＩＤを用いることで、駅に設置されたＲ／Ｗ装置２１６と、イベント会場に設置されたＲ／Ｗ装置２１９とを用いて、チケットデータの購入・販売、並びにチケットの利用を行うことできる。
また、通信システム１によれば、売れ残っているチケットを効率的に必要なユーザに販売でき、事業者が手数料を徴収することで、少ない人件費で大きな収益を上げることができる。
また、通信システム２０１は、第１実施形態の通信システム１の機能を備えているため、第１実施形態で説明した効果も得ることができる。
【０１０７】
また、上述した通信システム２０１において、チケットデータの代わりに、予約整理券データを用いてもよい。この場合に、会場内にＲ／Ｗ装置を設け、そのパネルに商品の画像情報を表示する。そして、ユーザは、携帯電話１２を用いて上記Ｒ／Ｗ装置にタッチすることにより、上述した方法で、予約整理券の画像データをダウンロードする。
その後、ユーザが店舗に置き、Ｒ／Ｗ装置のパネルにタッチして照合（認証）を行う。
このとき、携帯網で照合する場合にはデジタルコンテンツデータをプレゼントする。一方、店舗では、携帯電話１２のチップのＩＣＩＤを取得して暗号化してネット経由でサーバに問い合わせて照合する。なお、携帯電話１２の携帯通信網を用いてサーバに問い合わせを行ってもよい。
【０１０８】
［通信システム１，１０１のその他の応用形態］
通信システム１，１０１は、以下のように携帯電話１２にデジタルコンテンツデータをダウンロードさせることで、商業的な効果を高めることができる。
例えば、店内で携帯電話１２をＲ／Ｗ装置に近づけることで写メ用限定フレームをプレゼントする、店内限定フレームを定期的に新作発表する、来店者のみダウンロード可能とする店舗ごとの限定フレームを提供する、スタンプラリー的な企画により、通常足を運ばない近隣店舗、新店舗へ誘導する等である。
また、デジタルコンテンツデータとして、提携企業クーポンを提供したり、来店回数による特別プレゼント等、新しい企画を次々に提供してもよい。
【０１０９】
店舗への来店者のコミュニティ作りを進めるために、来店者同士のコミュニケーションをＣＰ運営サーバ２４等が提供するポータルを通じて促進してもよい。このとき、映画の感想やコメント共有したり、店内に見た映画の感想をアップするスクリーンを表示したりしてもよい。
【０１１０】
また、チェーン店舗オリジナルのショートストーリーコンテンツを作成し、店舗に設定されたＲ／Ｗ装置に携帯電話１２を近づけた会員のみに提供してもよい。これらのコンテンツは、新作映画のあらすじ、ニュースダイジェスト、スポーツ、テレビの番組宣伝、アニメ、ドラマ、アイドル映像や、携帯向けの新しいデジタルコンテンツである。
来店する度に新しいショートストーリーコンテンツをダウンロードできることで（1日1本）、来店を促す。
当該コンテンツのダウンロードは、店舗のＲ／Ｗ装置以外にも、家庭内のＰＣ、デジタルＴＶ等を用いて行ってもよい。
【０１１１】
このとき、携帯電話１２に、各々のビデオコンテンツの一部のみをダウンロードして蓄積させることで、蓄積容量を考慮してコンテンツの取捨選択を不要にしてもい。
全コンテンツに対するアクセス情報を端末内に保存するため、多様なコンテンツリスト表示、高速コンテンツアクセス機能を実現できる。
必要に応じて差分情報をストリーミングすることで、残りの部分も含めてすべて視聴可能長時間待つことなく、コンテンツをすぐ視聴可能。見たくないシーンは次々と高速スキップ可能であり、好きなシーンへ高速ジャンプできる。
【０１１２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【０１１３】
例えば、上述した実施形態では、ＣＰ運営サーバ２４，１２４，２２４と、ＡＳＰサーバ２６，１２６，２２６とを別々の設けたが、これらの機能を一つのサーバで実現してもよい。
【０１１４】
また、Ｒ／Ｗ装置１６，１１５，１１７，２１４，２１６等の設置場所は、上述した場所には特に限定されない。
【産業上の利用可能性】
【０１１５】
本発明は、コンテンツを提供するサービスを行うシステムに適用可能である。
【図面の簡単な説明】
【０１１６】
【図１】図１は、本発明の第１実施形態に係る通信システムの全体構成図である。
【図２】図２は、図１に示す携帯電話１２の機能ブロック図である。
【図３】図３は、図１に示すＣＰ運営サーバの機能ブロック図である。
【図４】図４は、図１に示すＡＳＰサーバの機能ブロック図である。
【図５】図５（Ａ）は、図１に示すパーソナルコンピュータの設定処理を説明するためのフローチャートである。図５（Ｂ）は、図１に示すＡＳＰサーバへのコンテンツ登録処理を説明するためのフローチャートである。
【図６】図６は、図１に示す通信システムにおいて、携帯電話が、デジタルコンテンツデータを取得する際の動作例を説明するためのフローチャートである。
【図７】図７は、本発明の第２実施形態に係る通信システムの全体構成図である。
【図８】図８は、図７に示す通信システムの動作例を説明するためのフローチャートである。
【図９】図９は、本発明の第３実施形態に係る通信システムの全体構成図である。
【図１０】図１０は、図９に示す通信システムの動作例を説明するためのフローチャートである。
【図１１】図１１は、図９に示す通信システムの動作例を説明するための図１０の続きのフローチャートである。
【符号の説明】
【０１１７】
１，  １０１，２０１…通信システム
１２…携帯電話
１４，２１４，２１８…パーソナルコンピュータ
１６，１１５，１１７，２１６，２１９…Ｒ／Ｗ装置
２０…ＡＳＰ運営端末装置
２２…コンテンツプロバイダー
２４，１２４，２２４…ＣＰ運営サーバ
２６，１２６，２２６…ＡＳＰサーバ
１２０…パチンコ台
【図１】
2010011058.tif 000003
【図２】
2010011058.tif 000004
【図３】
2010011058.tif 000005
【図４】
2010011058.tif 000006
【図５】
2010011058.tif 000007
【図６】
2010011058.tif 000008
【図７】
2010011058.tif 000009
【図８】
2010011058.tif 000010
【図９】
2010011058.tif 000011
【図１０】
2010011058.tif 000012
【図１１】
2010011058.tif 000013